(57)【要約】【課題】簡易に設置できるとともに、簡易に析出物を除去することのできる導水樋を提供する。【解決手段】壁面１２と間隔を置いて対向しつつ上下方向に伸びる対向壁部２０と、対向壁部２０の両側箇所２０ｂで壁面１２に取り付けられつつ上下方向に伸びる一対の側壁部３０と、を備える導水樋１０である。対向壁部２０は、一対の側壁部３０の上部を架け渡す上側軸２１と、一対の側壁部３０の下部を架け渡す下側軸２２と、上側軸２１と下側軸２２とに周回可能に巻き掛けられたベルト２３と、壁面１２に接触するようにベルト２３に着脱可能とされた清掃器具４０と、を有する。【選択図】図２
2019137985.tif 000002
【特許請求の範囲】
【請求項１】
壁面と間隔を置いて対向しつつ上下方向に伸びる対向壁部と、前記対向壁部の両側で前記壁面に取り付けられつつ上下方向に伸びる一対の側壁部と、を備え、
前記対向壁部は、一対の前記側壁部の上部を架け渡す上側軸と、一対の前記側壁部の下部を架け渡す下側軸と、前記上側軸と前記下側軸とに周回可能に巻き掛けられたベルトと、前記壁面に接触するように前記ベルトに着脱可能とされた清掃器具と、を有することを特徴とする導水樋。
【請求項２】
前記ベルトには、前記清掃器具の着脱を可能とする取付部が設けられていることを特徴とする請求項１に記載の導水樋。
【請求項３】
前記取付部は、把持器具の着脱が可能とされていることを特徴とする請求項２に記載の導水樋。
【請求項４】
前記取付部には、取付溝が設けられ、
前記清掃器具は、前記取付溝に嵌め入れ可能な取付突部と、接触して前記壁面を清掃する清掃部と、を有することを特徴とする請求項２または請求項３に記載の導水樋。
【請求項５】
前記取付溝は、その延伸方向の両端を湾曲させることで、前記取付部において前記壁面に対向される取付面のみを切り欠いて形成されていることを特徴とする請求項４に記載の導水樋。
【請求項６】
前記清掃器具は、前記清掃部において前記壁面に接触する清掃箇所が、前記取付溝の延伸方向で間隔を置いて設けられていることを特徴とする請求項４または請求項５に記載の導水樋。
【請求項７】
一対の前記側壁部は、前記対向壁部における前記壁面とは反対側の外表面側の両側箇所を覆う被覆壁部分をそれぞれ有し、
一対の前記被覆壁部分には、前記対向壁部へ向けて突出しつつ上下方向に伸びる水漏防止突起が設けられていることを特徴とする請求項１から請求項６までのいずれか１項に記載の導水樋。
【発明の詳細な説明】
【技術分野】
【０００１】
本発明は、壁面に生じる漏水を排水路等に導く導水樋に関する。
【背景技術】
【０００２】
トンネル等の地中構造物の壁面に生じる漏水を排水路に導くために、壁面における漏水箇所を覆いつつ排水路へ向かうように導水樋を設けることが考えられている。導水樋は、壁面との間に漏水箇所から排水路に向かう導水路を形成し、漏水箇所に生じた漏水を排水路に導く。
【０００３】
ところで、漏水には、石灰分やその他の固形成分が溶解していることが多く、それらが析出して析出物となり導水路に堆積する。このような析出物は、導水路の詰まりの原因となる。このため、導水樋では、析出物を除去できる構成とすることが考えられている（例えば、特許文献１、２参照）。
【０００４】
特許文献１では、導水樋を開閉可能な構成としており、導水樋を開けることで導水路を清掃することができ、析出物を除去することができる。また、特許文献２では、側面に多数の孔が形成された中空のストレーナ状パイプを導水路に設け、そのパイプの中に通した洗浄ホースから高圧の洗浄水を吐出させることで、導水路の析出物を除去することができる。
【先行技術文献】
【特許文献】
【０００５】
【特許文献１】実公昭６０−０００４００号公報
【特許文献２】特開２０００−３０３８００号公報
【発明の概要】
【発明が解決しようとする課題】
【０００６】
しかしながら、特許文献１のものでは、例えば導水樋が高所まで伸びるものとされていると、導水樋の開閉や導水路の清掃を行うために高所作業足場等が必要となり、析出物の除去が大掛かりなものとなるとともにコストの増加を招いてしまう。また、特許文献２のものでは、導水路にストレーナ状パイプを設けるので設置作業が煩雑となり、かつ清掃の際には高圧の洗浄水を吐出させる洗浄ホースを用いる必要があるので清掃作業が煩雑となるとともにコストの増加を招いてしまう。
【０００７】
本発明は、上記の事情に鑑みて為されたもので、簡易に設置できるとともに、簡易に析出物を除去することのできる導水樋を提供することを目的とする。
【課題を解決するための手段】
【０００８】
上記した目的を達成するために、本発明の導水樋は、壁面と間隔を置いて対向しつつ上下方向に伸びる対向壁部と、前記対向壁部の両側で前記壁面に取り付けられつつ上下方向に伸びる一対の側壁部と、を備え、前記対向壁部は、一対の前記側壁部の上部を架け渡す上側軸と、一対の前記側壁部の下部を架け渡す下側軸と、前記上側軸と前記下側軸とに周回可能に巻き掛けられたベルトと、前記壁面に接触するように前記ベルトに着脱可能とされた清掃器具と、を有することを特徴とする。
【０００９】
ここで、前記ベルトには、前記清掃器具の着脱を可能とする取付部が設けられている構成とすることができる。また、前記取付部は、把持器具の着脱が可能とされている構成とすることができる。さらに、前記取付部には、取付溝が設けられ、前記清掃器具は、前記取付溝に嵌め入れ可能な取付突部と、接触して前記壁面を清掃する清掃部と、を有する構成とすることができる。
【００１０】
前記取付溝は、その延伸方向の両端を湾曲させることで、前記取付部において前記壁面に対向される取付面のみを切り欠いて形成されている構成とすることができる。前記清掃器具は、前記清掃部において前記壁面に接触する清掃箇所が、前記取付溝の延伸方向で間隔を置いて設けられている構成とすることができる。
【００１１】
一対の前記側壁部は、前記対向壁部における前記壁面とは反対側の外表面側の両側箇所を覆う被覆壁部分をそれぞれ有し、一対の前記被覆壁部分には、前記対向壁部へ向けて突出しつつ上下方向に伸びる水漏防止突起が設けられている構成とすることができる。
【発明の効果】
【００１２】
このように構成された本発明の導水樋は、簡易に設置できるとともに、簡易に析出物を除去することができる。
【００１３】
ここで、前記ベルトには、前記清掃器具の着脱を可能とする取付部が設けられている構成であれば、ベルトに清掃器具を簡易に着脱することができる。また、前記取付部は、把持器具の着脱が可能とされている構成であれば、取付部に取り付けた把持器具を引っ張ることで、ベルトを容易に周回させることができ、析出物の除去をより簡易なものにできる。
【００１４】
さらに、前記取付部には、取付溝が設けられ、前記清掃器具は、前記取付溝に嵌め入れ可能な取付突部と、接触して前記壁面を清掃する清掃部と、を有する構成であれば、簡易な構成でベルトに清掃器具を着脱可能とすることができる。前記取付溝は、その延伸方向の両端を湾曲させることで、前記取付部において前記壁面に対向される取付面のみを切り欠いて形成されている構成であれば、取付面のみを露出させれば、清掃器具を容易に着脱できる。
【００１５】
前記清掃器具は、前記清掃部において前記壁面に接触する清掃箇所が、前記取付溝の延伸方向で間隔を置いて設けられている構成であれば、各清掃器具と壁面との間に作用する摩擦を低減しつつ所定の範囲内の壁面を清掃して析出物を除去できるようになる。
【００１６】
また、一対の前記側壁部は、前記対向壁部における前記壁面とは反対側の外表面側の両側箇所を覆う被覆壁部分をそれぞれ有し、一対の前記被覆壁部分には、前記対向壁部へ向けて突出しつつ上下方向に伸びる水漏防止突起が設けられている構成であれば、被覆壁部分に達した漏水が、被覆壁部分の内縁部よりもさらに内側に流れ込もうとしても、その流れ込みを水漏防止突起で抑えることができる。
【図面の簡単な説明】
【００１７】
【図１】本発明に係る導水樋の一実施形態に係る一例としての導水樋をトンネルの壁面に設けた状態を示す説明図である。
【図２】清掃器具や把持器具を取付部に取り付けた状態を図１のＩ−Ｉ線に沿って得られた断面で示す説明図である。
【図３】清掃刷毛器具を取付部に取り付けた状態を図１のII−II線に沿って得られた断面で示す説明図である。
【図４】ベルトに設けられた取付部を示す斜視図である。
【図５】図４のIII−III線に沿って得られた断面図である。
【図６】清掃刷毛器具を示す斜視図である。
【図７】３種類の清掃刷毛器具を並べて示す斜視図である。
【図８】取付部に清掃刷毛器具を取り付ける様子を示す説明図である。
【図９】清掃ヘラ器具を示す斜視図である。
【図１０】把持器具を示す斜視図である。
【図１１】取付溝の掃除道具を示す斜視図である。
【発明を実施するための形態】
【００１８】
以下に、本発明に係る導水樋の一例としての実施例１の導水樋１０について図面を参照しつつ説明する。
【実施例１】
【００１９】
本発明に係る導水樋の一実施形態としての実施例１の導水樋１０を、図１から図１１を用いて説明する。導水樋１０は、トンネル、ボックスカルバート、地下構造物、橋台および土留め擁壁等の構造物（１１）の壁面１２に生じる漏水を排水路１３（図２参照）等に導くために用いられる。実施例１の導水樋１０は、図１に示すように、地中構造物の一例としてのトンネル１１の壁面１２（内壁面）における漏水箇所を覆いつつ上下方向に伸びて設けられ、トンネル１１において線路や走行路等が設けられる路面１４に設けられた排水路１３の近傍まで伸びるものとされる。
【００２０】
導水樋１０は、図１から図３に示すように、対向壁部２０と一対の側壁部３０とを備える。対向壁部２０は、トンネル１１の壁面１２と所定の間隔を置いて対向して設けられ、壁面１２に沿いつつ上下方向に伸びている。対向壁部２０の詳細な構成については後述する。
【００２１】
一対の側壁部３０は、トンネル１１の延伸方向に位置する両側に設けられ、対向壁部２０を壁面１２に対向させて取り付ける。両側壁部３０は、トンネル１１の延伸方向に直交する面に関して面対称な構成とされている。各側壁部３０は、図３に示すように、金属材料が折り曲げられて形成され、固定壁部分３１と側壁部分３２と被覆壁部分３３とを有する。
【００２２】
固定壁部分３１は、壁面１２に固定される箇所であり、上下方向に伸びつつ壁面１２に沿って湾曲する板状とされている。固定壁部分３１には、上下方向に並んで複数の固定穴３４が設けられている。固定壁部分３１は、トンネル１１にコンクリートドリル等を用いて下穴を設け、その下穴に差し入れて固定したアンカーボルト３５が固定穴３４に通され、そのアンカーボルト３５にナット３６が嵌められることで、トンネル１１の壁面１２に固定される。
【００２３】
側壁部分３２は、各固定壁部分３１における内端部（他方の固定壁部分３１が存在する側の端部）から、トンネル１１の内方側へ向けて伸びる板状とされている。側壁部分３２は、対向壁部２０と壁面１２と協働して、直方体が壁面１２に沿って湾曲された形状の空間を構成する。この空間は、漏水箇所からの漏水を排水路１３へと導くための導水路３７となる。側壁部分３２には、長尺方向で所定の間隔を置いて複数の軸穴３８（図３参照）が設けられている。
【００２４】
被覆壁部分３３は、側壁部分３２の突出端から内側へ向けて伸びる板状とされ、対向壁部２０に沿って湾曲しつつ上下方向に伸びている。被覆壁部分３３は、対向壁部２０における壁面１２とは反対側すなわちトンネル１１の内方側に位置する外表面２０ａの両側箇所２０ｂを覆う。
【００２５】
被覆壁部分３３には、内縁部（他方の被覆壁部分３３が存在する側の縁部）に水漏防止突起３９が設けられている。水漏防止突起３９は、被覆壁部分３３から対向壁部２０へ向けて突出しつつ被覆壁部分３３の内縁部に沿って上下方向に伸びて設けられている。
【００２６】
この被覆壁部分３３は、導水路３７が導く漏水が対向壁部２０と側壁部分３２との間に流れ込んだ場合に、その漏水がトンネル１１の内方に達することを抑える。特に、実施例１の被覆壁部分３３では、被覆壁部分３３の内縁部に水漏防止突起３９が設けられているので、被覆壁部分３３に達した漏水が被覆壁部分３３の内縁部よりもさらに内側に流れ込むことを抑えることができる。この被覆壁部分３３および水漏防止突起３９は、特にトンネル１１の上部近傍における被覆壁部分３３が対向壁部２０の下方に位置する箇所において、漏水が対向壁部２０と側壁部分３２との間に流れ込む可能性が高いので、漏水がトンネル１１内に流れ出すことを抑える観点から効果的である。
【００２７】
次に、対向壁部２０の構成について詳細に説明する。対向壁部２０は、図１から図３に示すように、一対の側壁部３０の側壁部分３２に挟まれて設けられ、基本的に上側軸２１と下側軸２２とにベルト２３が巻き掛けられて構成される。上側軸２１は、両側壁部分３２の最も上側に設けられた軸穴３８を架け渡して設けられ、下側軸２２は、両側壁部分３２の最も下側に設けられた軸穴３８を架け渡して設けられる。この上側軸２１および下側軸２２は、軸穴３８に対してまたは自身の軸部に対して回転可能とされている。
【００２８】
ベルト２３は、上側軸２１と下側軸２２とに巻き掛けることのできる柔軟性を有しつつ、水を通すことなく漏水による圧力に耐えることのできる材料で形成され、上側軸２１と下側軸２２とに巻き掛けられてループを形成する帯状とされている。
【００２９】
実施例１のベルト２３は、ゴム材料で形成されている。ベルト２３は、上側軸２１と下側軸２２とに巻き掛けられることで、壁面１２に沿って上下方向に伸びて設けられている。実施例１の対向壁部２０では、上側軸２１と下側軸２２との間に複数の中間軸２４を設けることで、ベルト２３をより適切に壁面１２に沿うものとしている。この各中間軸２４は、上側軸２１および下側軸２２と同様に、それらの間で両側壁部分３２に設けられた各軸穴３８を架け渡して設けられ、軸穴３８に対してまたは自身の軸部に対して回転可能とされている（図２、図３参照）。これにより、ベルト２３は、上側軸２１と下側軸２２との間で壁面１２に沿うように周回可能とされている。このため、ベルト２３は、対向壁部２０における壁面１２と対向する壁側面２０ｃ側で、導水樋１０が設けられた略全域に亘り壁面１２に沿って上下方向に移動することが可能とされている。
【００３０】
このベルト２３には、複数の取付部２５が設けられている。各取付部２５は、後述する清掃器具４０や把持器具６０のベルト２３への着脱を可能とするために設けられるもので、互いに等しい構成とされ、ベルト２３の周回方向で所定の間隔をおいて設けられている。
【００３１】
実施例１の各取付部２５は、図４に示すように、全体にトンネル１１の延伸方向に長尺な直方体形状とされ、その長尺方向に沿って設けられた取付溝２６を有する。取付溝２６は、取付部２５において壁面１２と対向される取付面２５ａを切り欠いて形成されている。
【００３２】
取付溝２６は、中央部の断面となる図５に示すように、断面矩形状の溝本体箇所２６ａと、その奥側（取付面２５ａとは反対側）で溝本体箇所２６ａと連続する抜止溝箇所２６ｂと、を有する。
【００３３】
溝本体箇所２６ａは、取付面２５ａを切り欠きつつ取付部２５の奥側へ向けて取付部２５を穿ち形成されている。抜止溝箇所２６ｂは、取付溝２６の幅寸法を部分的に拡大している。実施例１の抜止溝箇所２６ｂは、溝本体箇所２６ａ側の端部が溝本体箇所２６ａの側面に直交する平面とされるとともに、奥側に向かうに連れて幅寸法を小さくするテーパ状に形成されている。
【００３４】
この取付溝２６は、全体に取付部２５の長尺方向に延伸され、その延伸方向の両端近傍が湾曲されて、両端が取付面２５ａと交わるように伸びるものとされている（図４、図８参照）。すなわち、取付溝２６は、全体に取付部２５の長尺方向に沿う軸線を有し、両端近傍で取付面２５ａ側に軸線が湾曲されている。このため、取付溝２６は、取付面２５ａ側から見ると、両端のみで抜止溝箇所２６ｂが露見するものとされ、それ以外の箇所では溝本体箇所２６ａのみが露見するものとされている（図４、図８参照）。このような構成であるので、取付溝２６は、両端に近付くにつれて、溝本体箇所２６ａおよび抜止溝箇所２６ｂが長尺方向に徐々に拡がるものとされている。
【００３５】
この各取付部２５は、樹脂材料や金属材料や木材等で形成されて、ベルト２３に固定される。各取付部２５は、対向壁部２０の壁側面２０ｃ側に位置された際、対向する壁面１２に接触しない大きさ、すなわち壁面１２との間に形成される導水路３７を塞ぐことのない大きさとされている。
【００３６】
また、実施例１の各取付部２５は、対向壁部２０の外表面２０ａ側に位置された際、両側壁部３０の被覆壁部分３３と略同一平面となる寸法とされている（図２、図３参照）。
【００３７】
清掃器具４０は、対向壁部２０に対向された壁面１２を清掃するために、ベルト２３に取り付けられる。実施例１では、清掃器具４０として、壁面１２を掃く清掃刷毛器具４１（図６等参照）と、壁面１２に付着した物体を剥がし落とす清掃ヘラ器具４２（図９参照）と、の２種類が用いられる。
【００３８】
清掃刷毛器具４１は、図６に示すように、刷毛部４３と取付突部４４とを有する構成とされる。清掃刷毛器具４１は、湾曲可能な材料で形成され、実施例１ではゴム材料で形成されている。なお、清掃刷毛器具４１は、後述するように取付部２５の取付溝２６の一端から取付突部４４を取付溝２６内に挿入できるように取付突部４４を湾曲可能とするものであれば、樹脂材料や他の材料で構成してもよく、実施例１の構成に限定されない。
【００３９】
刷毛部４３は、図７に示すように、長尺な直方体形状の棒状とされた土台箇所４５の壁側面４５ａに刷毛箇所４６が設けられて構成されている。実施例１では、基本的に等しい構成の３種類の清掃刷毛器具４１が用意されている。この３種類の清掃刷毛器具４１は、壁側面４５ａにおける刷毛箇所４６が設けられる箇所が互いに異なることを除くと、他の構成は互いに等しいものとされている。すなわち、３種類の清掃刷毛器具４１は、それぞれの刷毛部４３における刷毛箇所４６が、取付溝２６の延伸方向で間隔を置いて設けられている。
【００４０】
刷毛箇所４６は、獣毛や植物繊維や合成樹脂等で形成された毛の束とされている。刷毛箇所４６は、金属材料で形成された毛の束としてもよいが、この場合には壁面１２を傷付けることを最小限にできるものとすることが好ましい。刷毛箇所４６は、後述するように清掃刷毛器具４１が取付部２５に取り付けられて壁面１２側に位置されると、先端が壁面１２に接触する長さ寸法とされている（図２、図３等参照）。この刷毛部４３は、清掃刷毛器具４１において壁面１２に接触して壁面１２を清掃する清掃部として機能し、刷毛箇所４６が壁面１２に接触する清掃箇所として機能する。
【００４１】
３種類の清掃刷毛器具４１は、１種類目の刷毛箇所４６が設けられた位置と、２種類目の刷毛箇所４６が設けられた位置と、３種類目の刷毛箇所４６が設けられた位置と、を投影して重ねると土台箇所４５の長尺方向すなわちトンネル１１および取付溝２６の延伸方向に連続するものとなるように、それぞれの設ける位置が設定されている。すなわち、清掃刷毛器具４１は、３種類の全てを用いることで、長尺方向の所定の範囲で壁面１２を隙間なく清掃することが可能とされている。
【００４２】
この所定の範囲とは、トンネル１１の延伸方向での壁面１２において、導水路３７の詰まりを防止するために析出物を除去する必要がある範囲に設定する。なお、刷毛箇所４６を延伸方向の所定の範囲の全域に亘り設けた単一の清掃刷毛器具４１を用いるものとしてもよく、刷毛箇所４６を設ける位置を互い違いとした２種類の清掃刷毛器具４１を用いるものとしてもよく、刷毛箇所４６を互いに異なるものとした４種類以上の清掃刷毛器具４１を用いるものとしてもよい。
【００４３】
また、取付溝２６の延伸方向の中央位置に関して非対称であって、その中央位置を中心に反転させると刷毛箇所４６とそれが設けられていない箇所とが入れ替わる位置関係とされた一種類の清掃刷毛器具４１を用いるものとしてもよい。この場合、隣接する２つの取付部２５に対して、清掃刷毛器具４１をそれぞれ表裏逆転させて取り付けることにより、隙間なく刷毛箇所４６を位置させることができ、壁面１２を隙間なく清掃することができる。さらに、刷毛箇所４６が、それが設けられていない箇所に位置するように、清掃刷毛器具４１の取付溝２６への取付位置を延伸方向でずらして用いるものとしてもよい。この場合も同様に、壁面１２を隙間なく清掃することができる。
【００４４】
取付突部４４は、清掃刷毛器具４１を取付部２５に対して着脱自在とするものであり、図６に示すように、刷毛部４３の土台箇所４５において壁側面４５ａとは反対側のベルト側面４５ｂに設けられている。
【００４５】
取付突部４４は、ベルト側面４５ｂから突出する突起本体箇所４７と、突起本体箇所４７の先端に設けられた抜止突起箇所４８と、を有する。突起本体箇所４７は、長尺な直方体形状の棒状とされ、土台箇所４５よりも小さな寸法とされており、取付溝２６の溝本体箇所２６ａに嵌め入れることが可能とされている。
【００４６】
抜止突起箇所４８は、取付突部４４の幅寸法を部分的に拡大しており、取付溝２６の抜止溝箇所２６ｂに嵌め入れることが可能とされている。実施例１の抜止突起箇所４８は、突起本体箇所４７側の端部が突起本体箇所４７の側面に直交する平面とされるとともに、突出端側に向かうに連れて幅寸法を小さくするテーパ状に形成されている。
【００４７】
この清掃刷毛器具４１は、種類に拘わらず、図８に示すように、取付部２５に取り付けることができる。先ず、図８の上方に示すように、取付部２５の取付溝２６の一端から、清掃刷毛器具４１の取付突部４４を挿入する（矢印Ａ１参照）。このとき、取付溝２６の溝本体箇所２６ａに取付突部４４の突起本体箇所４７が嵌められるとともに、取付溝２６の抜止溝箇所２６ｂに取付突部４４の抜止突起箇所４８が嵌められる。その後、図８の中央に示すように、取付突部４４を取付溝２６に押し込むと、取付突部４４が取付溝２６に沿って湾曲して取付溝２６に進入（矢印Ａ２参照）する。このように、取付部２５の中央付近まで清掃刷毛器具４１を移動させることで、図８の下方に示すように、清掃刷毛器具４１を取付部２５に取り付けることができる。この清掃刷毛器具４１は、抜止突起箇所４８が抜止溝箇所２６ｂに嵌められているので、取付溝２６の延伸方向以外の方向では取付溝２６から抜け落ちることが防止されている。
【００４８】
清掃ヘラ器具４２は、図９に示すように、清掃刷毛器具４１と共通の取付突部４４にヘラ部４９が設けられて構成される。清掃ヘラ器具４２は、湾曲可能な材料で形成され、実施例１ではゴム材料で形成されている。なお、清掃ヘラ器具４２は、清掃刷毛器具４１と同様に、取付部２５の取付溝２６の一端から取付突部４４を取付溝２６内に挿入できるように取付突部４４を湾曲可能とするものであれば、樹脂材料や他の材料で構成してもよく、実施例１の構成に限定されない。
【００４９】
ヘラ部４９は、清掃刷毛器具４１と共通の土台箇所４５の壁側面４５ａにヘラ箇所５１が設けられて構成されている。ヘラ箇所５１は、ゴム材料や合成樹脂等で形成された板状とされている。ヘラ箇所５１は、金属材料で形成された板状としてもよいが、この場合には壁面１２を傷付けることを最小限にできるものとすることが好ましい。ヘラ箇所５１は、後述するように清掃ヘラ器具４２が取付部２５に取り付けられて壁面１２側に位置されると、先端が壁面１２に接触する長さ寸法とされている。このヘラ部４９は、清掃刷毛器具４１において壁面１２に接触して壁面１２を清掃する清掃部として機能し、ヘラ箇所５１が壁面１２に接触する清掃箇所として機能する。
【００５０】
実施例１では、清掃ヘラ器具４２は、清掃刷毛器具４１と同様に、土台箇所４５の壁側面４５ａにおけるヘラ箇所５１が設けられる箇所が互いに異なるものとされた３種類が用いられる。すなわち、清掃ヘラ器具４２は、３種類の全てを用いることで、土台箇所４５の長尺方向すなわちトンネル１１および取付溝２６の延伸方向の所定の範囲を隙間なく清掃することが可能とされている。なお、ヘラ箇所５１をトンネル１１の延伸方向の所定の範囲の全域に亘り設けた単一の清掃ヘラ器具４２を用いるものとしてもよく、ヘラ箇所５１を設ける位置を互い違いとした２種類の清掃ヘラ器具４２を用いるものとしてもよく、ヘラ箇所５１を互いに異なるものとした４種類以上の清掃ヘラ器具４２を用いるものとしてもよい。この各清掃ヘラ器具４２は、各清掃刷毛器具４１と同様に、取付部２５に取り付けることができる。
【００５１】
把持器具６０は、図１０に示すように、清掃刷毛器具４１と共通の取付突部４４に把持部６１が設けられて構成される。把持器具６０は、湾曲可能な材料で形成され、実施例１ではゴム材料で形成されている。なお、把持器具６０は、清掃刷毛器具４１と同様に、取付部２５の取付溝２６の一端から取付突部４４を取付溝２６内に挿入できるように取付突部４４を湾曲可能とするものであれば、把持部６１と取付突部４４とで異なる材料で構成してもよく、樹脂材料や他の材料で構成してもよく、実施例１の構成に限定されない。
【００５２】
把持部６１は、清掃刷毛器具４１や清掃ヘラ器具４２と共通の土台箇所４５の壁側面４５ａに把持箇所６２が設けられて構成されている。把持箇所６２は、ゴム材料や木材や金属材料や合成樹脂等で形成された環状とされて、掴みやすい形状とされている。なお、把持箇所６２は、掴みやすい形状とされていれば、形状は適宜設定することができ、実施例１の構成に限定されない。この把持器具６０は、各清掃刷毛器具４１および各清掃ヘラ器具４２（清掃器具４０）と同様に、取付部２５に取り付けることができる。
【００５３】
この清掃器具４０や把持器具６０が取り付けられる取付部２５の取付溝２６を清掃するために、掃除道具７０が用いられる。掃除道具７０は、図１１に示すように、把持器具６０と共通の把持部６１に掃除部７１が設けられて構成される。掃除道具７０は、湾曲可能な材料で形成され、実施例１ではゴム材料で形成されている。なお、掃除部７１は、取付部２５の取付溝２６の一端から掃除部７１を取付溝２６内に挿入できるように掃除部７１を湾曲可能とするものであれば、樹脂材料や他の材料で構成してもよく、実施例１の構成に限定されない。
【００５４】
掃除部７１は、清掃器具４０の取付突部４４と共通の突起本体箇所４７の突出端にブラシ箇所７２が設けられて構成されている。ブラシ箇所７２は、突起本体箇所４７の突出面およびその両側面に、獣毛や植物繊維や合成樹脂や金属材料等で形成された無数の毛が植えつけられて構成されている。無数の毛は、少なくとも突起本体箇所４７の突出方向およびその幅方向の両側に伸びるものとされている。
【００５５】
掃除道具７０は、取付部２５の取付溝２６の一端から掃除部７１を取付溝２６に挿入すると、その掃除部７１が取付溝２６に沿って湾曲して取付溝２６に進入させることができ、取付部２５に対して移動させることができる。このとき、掃除部７１の突起本体箇所４７が取付溝２６の溝本体箇所２６ａに嵌められているので、取付部２５に対する掃除道具７０の移動を安定させることができる。これにより、掃除部７１のブラシ箇所７２で、取付溝２６の抜止突起箇所４８を擦ることができるので、抜止突起箇所４８を全長に亘り清掃することができる。
【００５６】
なお、掃除部７１の突起本体箇所４７を取付溝２６の溝本体箇所２６ａよりも小さくして、取付溝２６の溝本体箇所２６ａも併せて全長に亘り清掃するものとしてもよい。また、掃除道具７０は、取付部２５の取付溝２６を全長に亘り清掃できるものであればよく、実施例１の構成に限定されない。
【００５７】
次に、導水樋１０の通常時の作用について説明する。導水樋１０は、上記したように、対向壁部２０と両側壁部分３２とで壁面１２の漏水箇所を覆って設けられ、その壁面１２と対向壁部２０と両側壁部分３２との間に排水路１３の近傍まで伸びる導水路３７を形成する。このため、導水樋１０は、漏水箇所からの漏水を、トンネル１１内に流出させることなく排水路１３へと導くことができる。このとき、一部の漏水は壁面１２を伝い、他の漏水は対向壁部２０や両側壁部分３２を伝い、それぞれ排水路１３へと導かれる。
【００５８】
導水樋１０では、導水路３７により導かれる漏水が対向壁部２０と側壁部分３２との間に流れ込んだ場合でも、被覆壁部分３３により漏水がトンネル１１の内方に漏れ出すことを抑えることができる。特に、実施例１の被覆壁部分３３では、被覆壁部分３３の内縁部に水漏防止突起３９が設けられているので、被覆壁部分３３に達した漏水が被覆壁部分３３の内縁部よりもさらに内側に流れ込むことを抑えることができ、漏水がトンネル１１の内方に漏れ出すことをより確実に抑えることができる。
【００５９】
次に、導水樋１０の清掃時の作用について説明する。先ず、漏水には、石灰分やその他の固形成分が溶解していることが多く、それらが析出して析出物となり導水路３７に堆積する。この析出物を除去するために、導水樋１０では、対向壁部２０の壁側面２０ｃ側でベルト２３を壁面１２に沿って上下方向に移動することを可能としつつ、ベルト２３の各取付部２５に適宜清掃器具４０や把持器具６０を取り付けることを可能としている。
【００６０】
ここで、各取付部２５は、対向壁部２０において壁面１２に対向されるベルト２３に設けられているため、取付面２５ａを切り欠いて設けられた取付溝２６にも析出物が堆積している可能性がある。このため、先ず、用いる取付部２５の取付溝２６を、掃除道具７０を用いて清掃する。
【００６１】
その後、清掃した各取付部２５に、清掃器具４０や把持器具６０を取り付ける。これにより、導水樋１０では、取り付けた把持器具６０を上方へと持ち上げることで、ベルト２３を周回させることができ、他の取付部２５に取り付けた清掃器具４０で壁面１２を清掃することができる。
【００６２】
ここで、清掃器具４０としては、清掃刷毛器具４１と清掃ヘラ器具４２とが用意されていることから、析出物の状況に応じて壁面１２を適切に清掃することができる。
【００６３】
これにより、導水樋１０では、導水路３７を構成する壁面１２に析出物が堆積した場合でも、容易に除去することができる。また、導水樋１０では、導水路３７を構成する対向壁部２０に析出物が堆積した場合でも、ベルト２３を周回させてトンネル１１の内方に位置させることで、容易に対向壁部２０の析出物を除去することができる。
【００６４】
ここで、導水樋１０では、下方に位置する取付部２５に把持器具６０を適宜取り付けることで、作業員が低い場所に居てもベルト２３を周回させることができる。そして、導水樋１０では、略全域に亘り壁面１２に沿って上下方向に移動することが可能とされたベルト２３に各取付部２５が設けられているので、ベルト２３を周回させることで導水路３７の略全長に亘り壁面１２を清掃器具４０で清掃することができる。
【００６５】
このため、導水樋１０は、トンネル１１の高所に位置する壁面１２であっても、高所作業足場等を用いることなく清掃器具４０で清掃することができ、析出物を簡単な作業で除去することができる。なお、導水樋１０では、高所作業足場等を用いて清掃してもよいことは言うまでもない。
【００６６】
また、導水樋１０は、清掃の度に高圧の洗浄水を吐出させることなく、各取付部２５に着脱可能とされて使い回すことのできる清掃器具４０や把持器具６０を用いれば析出物を除去できる。
【００６７】
さらに、導水樋１０は、上記したように対向壁部２０と一対の側壁部３０とで構成されたものを、漏水箇所を覆うように壁面１２に取り付けるだけでよいので、ストレーナ状パイプ等の別の部材を壁面１２に取り付ける必要はなく、簡易に設置できる。これらのことから、導水樋１０は、簡易に設置できるとともに簡易な清掃作業で析出物を除去することができ、コストを抑制できる。
【００６８】
本発明に係る導水樋の一実施例の導水樋１０は、以下の各作用効果を得ることができる。
【００６９】
導水樋１０は、一対の側壁部３０に支持されて壁面１２と間隔を置いて対向しつつ上下方向に伸びる対向壁部２０を上側軸２１と下側軸２２とベルト２３を周回可能に巻き掛けて構成し、そのベルト２３に清掃器具４０を着脱可能としている。
【００７０】
このため、導水樋１０は、通常時には、対向壁部２０と両側壁部３０と壁面１２とで構成した導水路３７で、漏水箇所からの漏水を排水路１３へと導くことができる。また、導水樋１０は、清掃時には、ベルト２３に適宜清掃器具４０を取り付けてベルト２３を周回させることで、排水路１３を構成する壁面１２を略全長に亘り清掃して析出物を除去できる。これらのことから、導水樋１０は、簡易に設置できるとともに、簡易に析出物を除去することができる。
【００７１】
また、導水樋１０は、ベルト２３に清掃器具４０の着脱を可能とする取付部２５を設けている。このため、導水樋１０は、ベルト２３に清掃器具４０を簡易に着脱することができるとともに、各取付部２５間や他の導水樋１０との間で清掃器具４０を共通化することができ、清掃作業やそのコストを抑制できる。
【００７２】
さらに、導水樋１０は、把持器具６０の各取付部２５への着脱を可能としている。このため、導水樋１０は、取付部２５に取り付けた把持器具６０（その把持部６１）を引っ張ることで、ベルト２３を容易に周回させることができ、析出物の除去をより簡易なものにできる。
【００７３】
導水樋１０は、ベルト２３に設けた取付部２５の取付溝２６に、取付突部４４を嵌め入れて清掃器具４０を取り付けることで、その清掃器具４０の清掃部（実施例１では刷毛部４３やヘラ部４９）が壁面１２に接触して壁面１２を清掃できる。このため、導水樋１０は、簡易な構成でベルト２３に清掃器具４０を着脱可能とすることができるとともに、各取付部２５間や他の導水樋１０との間で清掃器具４０を共通化することができ、清掃作業やそのコストを抑制できる。特に、実施例１の導水樋１０は、清掃器具４０として清掃刷毛器具４１と清掃ヘラ器具４２とを用いるものとしているので、析出物の堆積量や硬さに適したものを選択することができ、より適切に析出物を除去できる。
【００７４】
取付部２５は、取付溝２６を設けることで清掃器具４０の着脱を可能としているので、トンネル１１の内方側に突出する箇所を設けることのない構成とすることができる。ここで、導水樋１０は、各取付部２５を、対向壁部２０の壁側面２０ｃ側に位置された際に対向する壁面１２に接触しない大きさとしているので、ベルト２３に各取付部２５を設けても壁面１２との間に導水路３７を構成することができる。
【００７５】
導水樋１０は、各取付部２５の取付溝２６が、延伸方向の両端を湾曲させることで取付面２５ａのみを切り欠くものとしている。このため、導水樋１０は、取付面２５ａのみを露出させれば、清掃器具４０を着脱することができる。これにより、導水樋１０は、各取付部２５を、対向壁部２０の外表面２０ａ側に位置した際に両側壁部３０の被覆壁部分３３と略同一平面となる寸法とすることができ、対向壁部２０において両側壁部３０よりもトンネル１１の内方側に突出する箇所をなくすことができる。
【００７６】
導水樋１０は、各清掃器具４０の清掃部の清掃箇所（実施例１では刷毛箇所４６やヘラ箇所５１）が、取付溝２６の延伸方向で間隔を置いて設けられている。このため、導水樋１０は、各清掃器具４０と壁面１２との間に作用する摩擦を低減しつつ導水路３７を構成する所定の範囲内の壁面１２を清掃して析出物を除去できる。これにより、導水樋１０は、ベルト２３に対する各取付部２５の固定箇所や、各取付部２５に対する各清掃器具４０の固定箇所に作用する負荷の増加を抑制することができ、耐久性を高めることができる。特に、実施例１の導水樋１０は、間隔を置いて設けられた清掃箇所が延伸方向で互いに異なる清掃器具４０を複数用意しており、全てを用いることで延伸方向の所定の範囲に隙間なく清掃箇所を位置させることができる。この結果、導水樋１０は、各清掃器具４０と壁面１２との間に作用する摩擦を低減しつつ導水路３７を構成する所定の範囲内の壁面１２を隙間なく清掃して析出物を除去できる。
【００７７】
導水樋１０は、両側壁部３０に対向壁部２０における外表面２０ａ側の両側箇所２０ｂを覆う被覆壁部分３３を設け、その両被覆壁部分３３に対向壁部２０へ向けて突出しつつ上下方向に伸びる水漏防止突起３９を設けている。このため、導水樋１０は、被覆壁部分３３に達した漏水が、被覆壁部分３３の内縁部よりもさらに内側に流れ込もうとしても、その流れ込みを水漏防止突起３９で抑えることができる。
【００７８】
したがって、本発明に係る導水樋としての実施例１の導水樋１０では、簡易に設置できるとともに、簡易に析出物を除去することができる。
【００７９】
以上、本発明の導水樋１０を実施例１に基づき説明してきたが、具体的な構成については実施例１に限られるものではなく、特許請求の範囲の各請求項に係る発明の要旨を逸脱しない限り、設計の変更や追加等は許容される。
【００８０】
例えば、実施例１では、地中構造物の一例としてのトンネル１１の壁面１２（内壁面）に導水樋１０を設けた例を示している。しかしながら、導水樋１０は、壁面１２に生じる漏水を排水路１３に導くために設けるものであれば、ボックスカルバート、地下構造物、橋台および土留め擁壁等の構造物や岩山の壁面に設けてもよく、実施例１の構成に限定されない。
【００８１】
また、ベルト２３に設けた各取付部２５に対して清掃器具４０を着脱可能な構成としている。しかしながら、清掃器具４０は、ベルト２３に着脱可能とされていれば、例えば、磁石を用いるものでもよく、他の構成を用いてもよく、実施例１の構成に限定されない。
【００８２】
さらに、実施例１では、各取付部２５の取付溝２６を、軸線を湾曲させて取付面２５ａのみを切り欠くものとしている。しかしながら、取付溝２６は、清掃器具４０や把持器具６０の取付突部４４を嵌め入れることと抜き出すこととを可能とするものであれば、例えば、各取付部２５における取付面２５ａに加えて両端面を開放するものでもよく、他の構成でもよく、実施例１の構成に限定されない。
【００８３】
実施例１では、清掃器具４０として、清掃刷毛器具４１と清掃ヘラ器具４２との２種類を用いている。しかしながら、清掃器具４０は、ベルト２３に着脱可能とされて壁面１２への接触により壁面１２を清掃するものであれば、単一の種類のみを用いるものでも、３種類以上を用いるものでもよく、実施例１の構成に限定されない。
【符号の説明】
【００８４】
１０  導水樋
１１  （地中構造物の一例としての）トンネル
１２  壁面
２０  対向壁部
２０ａ  外表面
２０ｂ  両側箇所
２１  上側軸
２２  下側軸
２３  ベルト
２５  取付部
２５ａ  取付面
２６  取付溝
３０  側壁部
３３  被覆壁部分
３９  水漏防止突起
４０  清掃器具
４４  取付突部
４３  （清掃部の一例としての）刷毛部
４６  （清掃箇所の一例としての）刷毛箇所
４９  （清掃部の一例としての）ヘラ部
５１  （清掃箇所の一例としての）ヘラ箇所
６０  把持器具
６１  把持部
【図１】
2019137985.tif 000003
【図２】
2019137985.tif 000004
【図３】
2019137985.tif 000005
【図４】
2019137985.tif 000006
【図５】
2019137985.tif 000007
【図６】
2019137985.tif 000008
【図７】
2019137985.tif 000009
【図８】
2019137985.tif 000010
【図９】
2019137985.tif 000011
【図１０】
2019137985.tif 000012
【図１１】
2019137985.tif 000013